(57)【要約】【課題】本体の開口部を塞ぐ開閉蓋２を具え、開閉蓋２は、その一方の端部が本体に連結されて、他方の端部を自由端として回動する電子機器において、開閉蓋を開くときの開閉蓋の回動を安定させる。【解決手段】本発明に係る電子機器の蓋開閉機構において、機器本体の内部には、開閉蓋２の一方の端部を保持する保持部材４が配備されている。開閉蓋２は、本体の開口部を覆う蓋部21と、蓋部21の一方の端部に突設されたアーム部22と、アーム部22の先端部に突設された拡大部23とを有している。保持部材４には、開閉蓋２のアーム部22が貫通する切り欠き41が開設されている。保持部材４には、開閉蓋２の開き過程で開閉蓋２の拡大部23が摺接する凸部44が形成され、該凸部44の表面は、開閉蓋２の開き過程の回動軌跡を規定するべく、開閉蓋２の回動面に沿う断面が外側に膨らむ曲面に形成されている。【選択図】図１４
2013175379.tif 000002
【特許請求の範囲】
【請求項１】
開口部を有する本体と、該本体の開口部を開閉可能に塞ぐ開閉蓋とを具え、該開閉蓋は、その一方の端部が本体に連結されて、他方の端部を自由端として回動することにより、本体の開口部を開閉する電子機器において、
本体の内部には、開閉蓋の前記一方の端部を保持する保持部材が配備され、
開閉蓋は、本体の開口部を覆う板状の蓋部と、該蓋部の一方の端部に本体内部へ向けて突設されたアーム部と、該アーム部の先端部に突設されて開閉蓋の回動面に沿う断面においてアーム部よりも拡大した拡大部とを有し、
前記保持部材には、前記開閉蓋のアーム部が遊びをもって貫通する切り欠きが開設されると共に、前記開閉蓋の開き過程で開閉蓋の拡大部が摺接する凸部が形成され、該凸部の表面は、開閉蓋の開き過程の回動軌跡を規定するべく、開閉蓋の回動面に沿う断面が外側に膨らむ曲面に形成されていることを特徴とする電子機器の蓋開閉機構。
【請求項２】
前記開閉蓋のアーム部は、開閉蓋の回動面に沿ってＬ字状に屈曲している請求項１に記載の蓋開閉機構。
【請求項３】
前記開閉蓋の拡大部は、開閉蓋の回動面に直交する方向の厚さ寸法が均一に形成され、前記本体には、開閉蓋の拡大部を挟んで両側に、開閉蓋の回動に伴う拡大部の往復移動を案内する一対のガイド面が形成されている請求項１又は請求項２に記載の蓋開閉機構。
【請求項４】
前記一対のガイド面の内、少なくとも何れか一方は、前記保持部材に形成されている請求項３に記載の蓋開閉機構。
【請求項５】
前記開閉蓋の拡大部は、開閉蓋を開く過程で該開閉蓋に作用する力により、前記保持部材の凸部の表面に圧接される請求項１乃至請求項４に記載の蓋開閉機構。
【発明の詳細な説明】
【技術分野】
【０００１】
本発明は、デジタルカメラや携帯電話機等の電子機器の蓋開閉機構に関するものである。
【背景技術】
【０００２】
従来、デジタルカメラや携帯電話機等の電子機器においては、機器本体に、ＵＳＢコネクター等のジャックの開口部を覆って、開閉蓋が開閉可能に取り付けられている。
【０００３】
機器本体に開閉蓋を開閉可能に連結する蓋開閉機構としては、開閉蓋を機器本体から離間させる方向に引き出すことにより、機器本体の開口部を露出させる方式(特許文献１)と、開閉蓋の一方の端部を概ね中心として開閉蓋を回動させることにより、機器本体の開口部を露出させる方式がある。
【０００４】
後者の方式では、開閉蓋の一方の端部に円弧状に屈曲するアームを突設し、該アームを機器本体の開口部近傍の貫通孔に遊貫させた構成によって、開閉蓋を一方の端部を概ね中心として回動可能に支持し、開閉蓋の回動によって開口部を開閉する。
【先行技術文献】
【特許文献】
【０００５】
【特許文献１】特開２００７−１４１７５１号公報
【発明の概要】
【発明が解決しようとする課題】
【０００６】
しかしながら、開閉蓋の一方の端部を概ね中心として開閉蓋を回動させる方式の蓋開閉機構においては、開閉蓋の回動をスムーズなものとするべく、機器本体の貫通孔は、開閉蓋に突設されたアームが十分な余裕をもって貫通する様に大きく開設されていたために、ユーザが開閉蓋を開く操作を行なったときの開閉蓋の回動が安定せず、操作性が悪い問題があった。
【０００７】
そこで本発明の目的は、開閉蓋を開くときの開閉蓋の回動を安定させることが出来る電子機器の蓋開閉機構を提供することである。
【課題を解決するための手段】
【０００８】
本発明に係る電子機器は、開口部を有する本体(１)と、該本体(１)の開口部を開閉可能に塞ぐ開閉蓋(２)とを具え、該開閉蓋(２)は、その一方の端部が本体(１)に連結されて、他方の端部を自由端として回動することにより、本体(１)の開口部を開閉する。
【０００９】
本発明に係る電子機器の蓋開閉機構において、本体(１)の内部には、開閉蓋(２)の前記一方の端部を保持する保持部材(４)が配備されている。
開閉蓋(２)は、本体(１)の開口部を覆う板状の蓋部(21)と、該蓋部(21)の一方の端部に突設されて本体(１)へ向けて延びるアーム部(22)と、該アーム部(22)の先端部に突設されて開閉蓋(２)の回動面に沿う断面においてアーム部(22)よりも拡大した拡大部(23)とを有している。
【００１０】
前記保持部材(４)には、前記開閉蓋(２)のアーム部(22)が遊びをもって貫通する切り欠き(41)が開設され、本体(１)の内部に位置する開閉蓋(２)の拡大部(23)によって、開閉蓋(２)の抜け止めが施されている。
又、前記保持部材(４)には、前記開閉蓋(２)の開き過程で開閉蓋(２)の拡大部(23)が摺接する凸部(44)が形成され、該凸部(44)の表面は、開閉蓋(２)の開き過程の回動軌跡を規定するべく、開閉蓋(２)の回動面に沿う断面が外側に膨らむ曲面に形成されている。
【００１１】
尚、開閉蓋(２)は、例えばフック機構により、閉じ位置にて本体(１)に係合し、閉じ状態が維持される。閉じ状態の開閉蓋(２)に開き方向の操作力をかければ、フック機構の係合が外れて、開閉蓋(２)は一方の端部を概ね中心として開くことになる。
【００１２】
上記本発明の電子機器の蓋開閉機構によれば、ユーザが開閉蓋(２)を開く過程で、開閉蓋(２)の拡大部(23)が、開閉蓋(２)を開く過程で該開閉蓋(２)に作用する力(操作力や重力)を受けて、保持部材(４)の凸部(44)に圧接されつつ、該凸部(44)の表面を摺動し、これによって開閉蓋(２)の回動軌跡が規定されることになる。
【００１３】
具体的態様において、前記開閉蓋(２)の拡大部(23)は、保持部材(４)の回動面に直交する方向の厚さ寸法が均一に形成され、前記本体(１)には、開閉蓋(２)の拡大部(23)を挟んで両側に、開閉蓋(２)の回動に伴う拡大部(23)の往復移動を案内する一対のガイド面が形成されている。
【００１４】
該具体的態様によれば、開閉蓋(２)が開閉する過程で該開閉蓋(２)の拡大部(23)が一対のガイド面の間を移動し、該拡大部(23)の移動が案内される。これによって、開閉蓋(２)は、所定の回動面から大きくぶれることなく、所定の回動軌跡に沿って開閉することになる。
【発明の効果】
【００１５】
本発明に係る電子機器の蓋開閉機構によれば、開閉蓋を開くときの開閉蓋の回動を安定させることが出来る。
【図面の簡単な説明】
【００１６】
【図１】図１は、本発明の一実施形態であるデジタルカメラを前面側から見た斜視図である。
【図２】図２は、該デジタルカメラを背面側から見た斜視図である。
【図３】図３は、該デジタルカメラにおいて開閉蓋を開いた状態を前面側から見た斜視図である。
【図４】図４は、該デジタルカメラにおいて開閉蓋を開いた状態を背面側から見た斜視図である。
【図５】図５は、シャーシに配備された開閉蓋及び保持部材を示す斜視図である。
【図６】図６は、開閉蓋を開いた状態を示す同上の斜視図である。
【図７】図７は、閉じ状態の開閉蓋及び保持部材を示す拡大斜視図である。
【図８】図８は、開き状態の開閉蓋及び保持部材を示す拡大斜視図である。
【図９】図９は、開閉蓋及び保持部材の組立状態を示す斜視図である。
【図１０】図１０は、開閉蓋及び保持部材の分解状態を示す斜視図である。
【図１１】図１１は、開閉蓋を全閉状態から全開状態まで開く過程の第１段階を示す断面図である。
【図１２】図１２は、図１１の要部Ａを拡大した断面図である。
【図１３】図１３は、開閉蓋を全閉状態から全開状態まで開く過程の第２段階を示す断面図である。
【図１４】図１４は、図１３のＡ部を拡大した断面図である。
【図１５】図１５は、開閉蓋を全閉状態から全開状態まで開く過程の第３段階を示す断面図である。
【図１６】図１６は、図１５のＡ部を拡大した断面図である。
【図１７】図１７は、開閉蓋を全閉状態から全開状態まで開く過程の第４段階を示す断面図である。
【図１８】図１８は、図１７のＡ部を拡大した断面図である。
【図１９】図１９は、開閉蓋を全閉状態から全開状態まで開く過程の第５段階を示す断面図である。
【図２０】図２０は、図１９のＡ部を拡大した断面図である。
【発明を実施するための形態】
【００１７】
以下、本発明をデジタルカメラに実施した形態につき、図面に沿って具体的に説明する。
本発明の一実施形態であるデジタルカメラは、図１〜図４に示す如く、本体(１)の前面側に撮影窓(11)を具えると共に、本体(１)の背面側にディスプレイ(12)を具え、本体(１)の側面には、ＵＳＢコネクターのジャックの開口部(14)(15)を塞ぐための開閉蓋(２)が、開閉操作可能に配備されている。
【００１８】
開閉蓋(２)は、閉じ状態で上下に長い帯板状を呈し、下方端部を概ね中心として回動することにより、開口部(14)(15)を開閉する。
【００１９】
本体(１)の内部には、図５及び図６に示す合成樹脂製のシャーシ(13)が配備されており、該シャーシ(13)の内面には電池室を形成するための板金部材(３)が取り付けられている。
又、シャーシ(13)の側部には、合成樹脂製の保持部材(４)が固定されており、該保持部材(４)に開閉蓋(２)の下方端部が連結されている。
【００２０】
図９及び図１０に示す如く、保持部材(４)には、前記開口部(14)(15)を構成する２つの開口(42)(43)が形成されると共に、該開口(42)(43)の下方位置には、開閉蓋(２)の下方端部が貫通する切り欠き(41)が開設されている。
【００２１】
開閉蓋(２)は、２つの開口(42)(43)を塞ぐ帯板状の蓋部(21)と、該蓋部(21)の下方端部に突設されて開閉蓋(２)の回動面に沿ってＬ字状に延びるアーム部(22)と、該アーム部(22)の先端部に突設されて開閉蓋(２)の回動面に沿う断面においてアーム部(22)よりも拡大した拡大部(23)と具えている。
開閉蓋(２)の拡大部(23)は、開閉蓋(２)の回動面に直交する方向の厚さ寸法が均一に形成されている。
【００２２】
尚、保持部材(４)の切り欠き(41)は、開閉蓋(２)のアーム部(22)が余裕をもって貫通する大きさであって、且つ開閉蓋(２)の拡大部(23)の通過を阻止する大きさに形成されている。
【００２３】
又、開閉蓋(２)の蓋部(21)の内面には、３つのフック片(24)(25)(26)が突設される一方、保持部材(４)には、これら３つのフック片(24)(25)(26)が係脱可能に係合すべき被係合孔(46)(47)(48)が開設されている。
【００２４】
更に、保持部材(４)には、開閉蓋(２)の拡大部(23)が対向する内面であって、切り欠き(41)の下方位置に、半球状の凸部(44)が形成されると共に、該凸部(44)の側方に、ガイド壁(45)が突設されている。
【００２５】
図５及び図６に示す如く保持部材(４)に開閉蓋(２)が連結され、シャーシ(13)に板金部材(３)及び保持部材(４)が取り付けられた状態では、図７及び図８に示す如く、開閉蓋(２)の拡大部(23)が本体内部に突出し、該拡大部(23)の両側に、板金部材(３)と保持部材(４)のガイド壁(45)とが配置されることとなる。
【００２６】
従って、開閉蓋(２)が図７に示す全閉状態と図８に示す全開状態との間で開閉する過程で、開閉蓋(２)の拡大部(23)は、板金部材(３)の表面とガイド壁(45)の側面とによってガイドされ、開閉蓋(２)の回動面が大きくぶれることが阻止される。
【００２７】
上記デジタルカメラにおいては、開閉蓋(２)が図７に示す全閉状態から図８に示す全開状態まで開く過程で、開閉蓋(２)は、図１１〜図２０に示す軌跡を描いて回動することになる。
【００２８】
図１１は、開閉蓋(２)の全閉状態を示しており、この状態では、図１２に示す如く、開閉蓋(２)のアーム部(22)の基端部が開閉蓋(２)の切り欠き(41)を貫通し、拡大部(23)の角部(27)は、保持部材(４)の凸部(44)から離間している。
【００２９】
この状態から開閉蓋(２)を開くべく、開閉蓋(２)の上端に指をかけて、図１１の如く開き方向の操作力Ｆを作用させると、前述のフック片(24)(25)(26)と被係合孔(46)(47)(48)との係合が外れ、図１３に示す如く開閉蓋(２)が開き始めることになる。
ここで、開閉蓋(２)は、開き方向の操作力Ｆを受けて、保持部材(４)から離間する方向へ移動すると同時に、開き方向へ回転する。
【００３０】
これによって、図１４に示す如く、開閉蓋(２)のアーム部(22)が保持部材(４)の切り欠き(41)内を脱出方向に移動し、開閉蓋(２)の拡大部(23)の角部(27)が保持部材(４)の凸部(44)の表面に圧接されることになる。
ここで、開閉蓋(２)の拡大部(23)の角部(27)が保持部材(４)の凸部(44)に当接することによって、開閉蓋(２)のアーム部(22)が保持部材(４)の開口縁(4a)に摺接して大きな摩擦が発生することが回避されるので、この摩擦によって開閉蓋(２)の開き動作に支障が生じたり、開閉蓋(２)や保持部材(４)に劣化が生じたりすることが防止される。
【００３１】
更に図１５の如く開閉蓋(２)に対して開き方向の操作力Ｆを作用させると、図１６に示す様に開閉蓋(２)のアーム部(22)が保持部材(４)の切り欠き(41)内を更に脱出方向に移動しつつ、開閉蓋(２)の拡大部(23)の角部(27)が保持部材(４)の凸部(44)上を摺動して、開閉蓋(２)の回動軌跡が規定される。
【００３２】
その後は、図１７に示す如く、開閉蓋(２)に殆ど操作力を作用させることなく、開閉蓋(２)はその重力によって図１９に示す全開状態まで開くことになる。
この過程で、図１８及び図１９に示す様に、開閉蓋(２)のアーム部(22)が保持部材(４)の切り欠き(41)内を更に脱出方向に移動しつつ、開閉蓋(２)の拡大部(23)の角部(27)が保持部材(４)の凸部(44)上を摺動して、開閉蓋(２)の回動軌跡が規定される。
【００３３】
上述の如く、ユーザが開閉蓋(２)を開く過程で、開閉蓋(２)の拡大部(23)が、開閉蓋(２)に作用する力(操作力や重力)を受けて、保持部材(４)の凸部(44)に圧接されつつ、該凸部(44)の表面に沿って摺動し、これによって開閉蓋(２)の全閉状態から全開状態までの回動軌跡が規定されることになる。
【００３４】
この結果、ユーザが開閉蓋(２)を開く操作を行なったときの開閉蓋(２)の回動が安定し、操作性は良好なものとなる。
又、ユーザが開閉蓋(２)を閉じる操作を行なったときも、図１８、図１６及び図１４に示す如く、開閉蓋(２)の拡大部(23)の角部(27)が保持部材(４)の凸部(44)に当接することによって、開閉蓋(２)が本体(１)の内側へ引き込まれるので、開閉蓋(２)のアーム部(22)が保持部材(４)の開口縁(4a)に摺接することが回避される。この結果、開閉蓋(２)の閉じ動作はスムーズに行なわれ、開閉蓋(２)や保持部材(４)に劣化が生じることはない。
【００３５】
尚、本発明の各部構成は上記実施の形態に限らず、特許請求の範囲に記載の技術的範囲内で種々の変形が可能である。例えば、保持部材(４)の凸部(44)は、半球状に限らず、半円柱状など、開閉蓋(２)の回動面に沿う断面が外側に膨らむ曲面を有するものであれば種々の形状を採用することが出来る。
又、保持部材(４)は、独立した成型品に限らず、シャーシ(13)若しくは本体キャビネットと一体に形成することも可能である。
【００３６】
更に本発明は、開閉蓋(２)がその長手方向の端部にて本体(１)に連結されている構成に限らず、開閉蓋(２)がその長手方向とは直交する方向の端部にて本体(１)に連結されている構成に実施することも可能である。
【符号の説明】
【００３７】
(１)  本体
(14)  開口部
(15)  開口部
(２)  開閉蓋
(21)  蓋部
(22)  アーム部
(23)  拡大部
(27)  角部
(３)  板金部材
(４)  保持部材
(41)  切り欠き
(42)  開口
(43)  開口
(44)  凸部
(45)  ガイド壁
【図１】
2013175379.tif 000003
【図２】
2013175379.tif 000004
【図３】
2013175379.tif 000005
【図４】
2013175379.tif 000006
【図５】
2013175379.tif 000007
【図６】
2013175379.tif 000008
【図７】
2013175379.tif 000009
【図８】
2013175379.tif 000010
【図９】
2013175379.tif 000011
【図１０】
2013175379.tif 000012
【図１１】
2013175379.tif 000013
【図１２】
2013175379.tif 000014
【図１３】
2013175379.tif 000015
【図１４】
2013175379.tif 000016
【図１５】
2013175379.tif 000017
【図１６】
2013175379.tif 000018
【図１７】
2013175379.tif 000019
【図１８】
2013175379.tif 000020
【図１９】
2013175379.tif 000021
【図２０】
2013175379.tif 000022